(57)【要約】【課題】携帯電話器の内蔵電池への充電に際して、できるだけ小型に形成して携帯性を向上させることができる携帯電話機用充電装置および携帯電話機用充電装置における乾電池の収容方法を提供する。【解決手段】一本または複数本の筒型乾電池１と、該筒型乾電池を収容する箱形の容器２と、この容器の一側部に突出させた接続コネクタと３を有し、容器は、筒型乾電池の長さ方向の外周における両側部へそれぞれ当接して該筒型乾電池を挟持する第一および第二の枠体４，５と、これら第一および第二の枠体における筒型乾電池の当接位置に該筒型乾電池の長さ方向と平行して開口させた窓孔６とを備えさせ、窓孔は、筒型乾電池の長さ方向におけるその全長以上の開口を有し、かつ、筒型乾電池の直径方向の幅より狭い開口を有している。【選択図】    図１
2004194478.tif 000002
【特許請求の範囲】
【請求項１】
携帯電話機に内蔵された充電電池へ充填を行う携帯電話機用充電装置にあって、
一本または複数本の筒型乾電池と、該筒型乾電池を収容する箱形の容器と、この容器の一側部に突出させた接続コネクタとを有し、
前記容器は、前記筒型乾電池の長さ方向の外周における両側部へそれぞれ当接して該筒型乾電池を挟持する第一および第二の枠体と、これら第一および第二の枠体における前記筒型乾電池の当接位置に該筒型乾電池の長さ方向と平行して開口させた窓孔とを備えさせ、
前記窓孔は、前記筒型乾電池の長さ方向におけるその全長以上の開口を有し、かつ、前記筒型乾電池の直径方向の幅より狭い開口を有していることを特徴とする携帯電話機用充電装置。
【請求項２】
容器における窓孔に被覆体を張設させたことを特徴とする請求項１記載の携帯電話機用充電装置。
【請求項３】
携帯電話機に内蔵された充電電池へ充填を行う携帯電話機用充電装置にあって、
一本または複数本の筒型乾電池と、該筒型乾電池を収容する箱形の容器と、この容器の一側部に突出させた接続コネクタとを有し、
前記容器は、前記筒型乾電池の長さ方向の外周における両側部へそれぞれ当接して該筒型乾電池を挟持する第一および第二の枠体と、これら第一および第二の枠体における前記筒型乾電池の当接位置に該筒型乾電池の長さ方向と平行して開口させた窓孔とを備えさせ、
前記窓孔は、前記筒型乾電池の長さ方向におけるその全長以上の開口を有し、かつ、前記筒型乾電池の直径方向の幅より狭い開口を有しており、
前記筒型乾電池の外周において長さ方向におけるその全長および筒型乾電池の直径方向の一部を、前記窓孔内へ臨ませて、前記容器における前記筒型乾電池の直径方向の厚さを減少させたことを特徴とする携帯電話機用充電装置における乾電池の収容方法。
【発明の詳細な説明】
【０００１】
【産業上の利用分野】
本発明は、携帯電話器の内蔵電池への充電に際して、できるだけ小型に形成して携帯性を向上させることができる携帯電話機用充電装置および携帯電話機用充電装置における乾電池の収容方法に関する。
【０００２】
【従来の技術】
従来、携帯電話機の使用にあって、屋外での突然の電池切れとなっても、直ちに前記携帯電話機に内蔵された充電電池へ急速充電して、その使用を可能とする携帯用の充電器が知られている。
この携帯用充電器は、例えば、単３乾電池を４本並べてケース内へ収納して、その一端部に前記携帯電話機の端子へ接続させる接続コネクタを設けてある。
【０００３】
前記携帯用充電器は、単３乾電池の直径が１４ｍｍを有し、前記ケースの肉厚をできるだけ薄く成形しても１ｍｍ程度を必要とするもので、したがって、ケース全体の厚さは１６ｍｍとなって、携帯用として、簡単にポケット等へ収納しておくには、比較的かさばる大きさとなるもので、使用にあっては不都合を感ずるものであった。
【０００４】
【発明が解決しようとする課題】
本発明は、前記した問題点を解決するためになされたもので、一本または複数本の筒型乾電池と、該筒型乾電池を収容する箱形の容器と、この容器の一側部に突出させた接続コネクタとを有し、容器は、筒型乾電池の長さ方向の外周における両側部へそれぞれ当接して該筒型乾電池を挟持する第一および第二の枠体と、これら第一および第二の枠体における筒型乾電池の当接位置に該筒型乾電池の長さ方向と平行して開口させた窓孔とを備えさせ、窓孔は、筒型乾電池の長さ方向におけるその全長以上の開口を有し、かつ、筒型乾電池の直径方向の幅より狭い開口を有していることにより、携帯電話器の内蔵電池への充電に際して、できるだけ小型に形成して携帯性を向上させることができる携帯電話機用充電装置および携帯電話機用充電装置における乾電池の収容方法を提供することを目的としている。
【０００５】
【課題を解決するための手段】
前記した目的を達成するための本発明の手段は、
携帯電話機に内蔵された充電電池へ充填を行う携帯電話機用充電装置にあって、
一本または複数本の筒型乾電池と、該筒型乾電池を収容する箱形の容器と、この容器の一側部に突出させた接続コネクタとを有し、
前記容器は、前記筒型乾電池の長さ方向の外周における両側部へそれぞれ当接して該筒型乾電池を挟持する第一および第二の枠体と、これら第一および第二の枠体における前記筒型乾電池の当接位置に該筒型乾電池の長さ方向と平行して開口させた窓孔とを備えさせ、
前記窓孔は、前記筒型乾電池の長さ方向におけるその全長以上の開口を有し、かつ、前記筒型乾電池の直径方向の幅より狭い開口を有している携帯電話機用充電装置の構成にある。
【０００６】
容器における窓孔に被覆体を張設させる。
【０００７】
そして、
携帯電話機に内蔵された充電電池へ充填を行う携帯電話機用充電装置にあって、
一本または複数本の筒型乾電池と、該筒型乾電池を収容する箱形の容器と、この容器の一側部に突出させた接続コネクタとを有し、
前記容器は、前記筒型乾電池の長さ方向の外周における両側部へそれぞれ当接して該筒型乾電池を挟持する第一および第二の枠体と、これら第一および第二の枠体における前記筒型乾電池の当接位置に該筒型乾電池の長さ方向と平行して開口させた窓孔とを備えさせ、
前記窓孔は、前記筒型乾電池の長さ方向におけるその全長以上の開口を有し、かつ、前記筒型乾電池の直径方向の幅より狭い開口を有しており、
前記筒型乾電池の外周において長さ方向におけるその全長および筒型乾電池の直径方向の一部を、前記窓孔内へ臨ませて、前記容器における前記筒型乾電池の直径方向の厚さを減少させた携帯電話機用充電装置における乾電池の収容方法にある。
【０００８】
【実施例】
次に、本発明に関する携帯電話機用充電装置および携帯電話機用充電装置における乾電池の収容方法の一実施例を図面に基づいて説明する。
図１〜図３および図５においてＡは携帯電話機用充電装置で、携帯電話機（図示せず）に内蔵された充電用電池へ、前記携帯電話機の端子を介して充填を行うもので、筒型乾電池１と、容器２と、接続コネクタ３とにより基本的に構成される。
【０００９】
そして、前記した筒型乾電池１は、単３型や単４型の円筒形状を有するアルカリ乾電池やマンガン乾電池などが用いられるもので、後記する容器２内において一本または複数本が、該筒型乾電池１が、その＋極と−極を結んだ長さ方向において、この長さ方向がそれぞれ（複数本の場合）並列状態となるように収納される。この複数本が並列状態に設けられる場合には、各隣り合う筒型乾電池１，１，１…の間はほとんど隙間がない状態（全く隙間がない場合もある）に接触させて設けられる。
【００１０】
前記した容器２は、箱形（小型マッチ箱状）に形成して、その内部の空間部に筒型乾電池１を収容するもので、筒型乾電池１の前記長さ方向の外周における両側部へそれぞれ当接して、該筒型乾電池１を挟持する第一および第二の枠体４，５と、これら第一および第二の枠体４，５における筒型乾電池１の当接位置（円弧部）に、該筒型乾電池１の長さ方向と平行して開口させた窓孔６とを備えさせてある。
【００１１】
前記した第一および第二の枠体４，５は、プラスチック製等により容器２の長さ方向と平行するように二つ割りに形成してあって、これら第一および第二の枠体４，５を重ね合わせたとき、筒型乾電池１の収容空間が得られるようにしてある。なお、この第一および第二の枠体４，５は、略同一形状に形成することで、成形性等が良好となる。
また、この収容空間に筒型乾電池１を収容したとき、該筒型乾電池１の外周部の一部が当接する押さえ部材４ａ，５ａを、これら第一および第二の枠体４，５の内側面部に張り出してあって、筒型乾電池１を挟んで第一および第二の枠体４，５を組み立てたとき、これら第一および第二の枠体４，５と筒型乾電池１との間に隙間なく一体状となるように構成される。
【００１２】
前記した窓孔６は、図２に示すように、容器２の長さ方向（筒型乾電池１がその＋極と−極を結んだ長さ方向に納まっている状態）において、筒型乾電池１の前記長さ方向におけるその全長Ｌ１以上の開口長さＬ２を有し、かつ、筒型乾電池１の直径方向の幅Ｄ１より狭い開口幅Ｄ２を有している。
これにより、図４において拡大して示すように、筒型乾電池１の外周において前記長さ方向におけるその全長および筒型乾電池１の直径方向の一部を、窓孔６内へ臨ませて（入り込ませて）、容器２の筒型乾電池１の直径方向の厚さを減少させることができる。
【００１３】
すなわち、窓孔６において、筒型乾電池１の長さ方向は、この窓孔６の長さ方向内にその全長が納まり、筒型乾電池１の外周部である円弧部の一部は、窓孔６の幅方向内に、いわゆる、容器２における第一および第二の枠体４，５側に対応する筒型乾電池１の円弧頂部が窓孔６の幅方向の内部に入り込むことで、少なくとも、図４に示すように、第一および第二の枠体４，５の外側部の肉厚分ｔ１，ｔ２の寸法が筒型乾電池１の円弧頂部によって吸収され、容器２の厚さは、前記肉厚分ｔ１，ｔ２分が薄く形成させることができる。
なお、この窓孔６の開口幅Ｄ２は、筒型乾電池１の直径寸法より狭い寸法に設定されていれば、その開口幅Ｄ２は任意に設けられる。
【００１４】
この窓孔６は、容器２における第一および第二の枠体４，５の両方（容器２の厚さ方向における両方）に設けたり、どちらか一方の枠体のみに設けることもできるもので、更には、この第一および第二の枠体４，５にあって、容器２の幅方向の両側部あるいはどちらか一方の側面に設けることもできるもので、この容器２の幅方向の両側部に窓孔６，６を設けることで、容器２の外観サイズは、ほとんど、筒型乾電池１の外観形状のサイズと同じとなり、一層のコンパクト化が図れる。
【００１５】
前記した接続コネクタ３は、容器２の長さ方向の一側部に突出させてあって、携帯電話機（図示せず）に設けた内部端子へ接続させ、筒型乾電池１の所定電流を前記携帯電話機に内蔵された充電用電池へ供給し充電させる。
【００１６】
なお、容器２における窓孔６に被覆体７を張設させることもあるもので、この被覆体７は、非可透性（内部が見えない）のプラスチックフィルムや紙等の薄厚材からなるものが用いられる。これにより、窓孔６が被覆されるため、容器２内の筒型乾電池１が直接的に露出することがないので、開口部を有しない一体的なケース状となって外観的体裁が良好となる。
被覆体７にシュリンクフィルム（熱収縮性フィルム）を使用することで、容器２における第一および第二の枠体４，５の組み立て後の結合状態も良好となり、両者４，５の組み立てや結合のための細工も簡略化される。
また、窓孔６のみに設けることもできる。更には、図示してないが、筒型乾電池１を、この被覆体７により包装させた状態（筒型乾電池１の外周の形状に倣うように密着させた状態）で、容器２内へ収納させても良い。
【００１７】
【発明の効果】
前述のように構成される本発明は、筒型乾電池の外周において長さ方向におけるその全長および筒型乾電池の直径方向の一部を、窓孔内へ臨ませて、容器の筒型乾電池の直径方向の厚さを減少させることにより、携帯電話機用充電装置の全体形状を可及的小型に作成することができ、屋外等における携帯にかさばらず、便利となる。
【図面の簡単な説明】
【図１】本発明に関する携帯電話機用充電装置における乾電池の収容方法を採用した携帯電話機用充電装置の一実施例を示す斜視図である。
【図２】図１における携帯電話機用充電装置の窓孔部において縦断して示す側面図である。
【図３】図１における携帯電話機用充電装置を示す横断平面図である。
【図４】図３における携帯電話機用充電装置の窓孔部を拡大して示す横断平面図である。
【図５】図１における携帯電話機用充電装置において容器の外周部へ被覆体を張設した状態を示す横断平面図である。
【符号の説明】
Ａ…携帯電話機用充電装置．１…筒型乾電池．２…容器．３…接続コネクタ．４…第一枠体．５…第二枠体．６…窓孔．７…被覆体．
【図１】
2004194478.tif 000003
【図２】
2004194478.tif 000004
【図３】
2004194478.tif 000005
【図４】
2004194478.tif 000006
【図５】
2004194478.tif 000007